(57)【特許請求の範囲】
【請求項１】
過酸化物、亜鉛塩並びに、１，２−プロピレンジアミンテトラ（メチレンホスホン酸）、ジエチレントリアミンペンタ（メチレンホスホン酸）、１−ヒドロキシエチリデン−１，１−ジホスホン酸、エチレンジアミン四酢酸／四ナトリウム塩・四水和物、及びジエチレントリアミン五酢酸から選ばれる化合物を含有することを特徴とする脱臭剤。
【請求項２】
過酸化物が過酸化水素または過炭酸ナトリウムである請求項１記載の脱臭剤
【請求項３】
硫化水素またはメルカプタン類を含む廃水または汚泥に請求項１記載の脱臭剤を添加する方法。
【発明の詳細な説明】
【０００１】
【発明の属する技術分野】
本発明は、脱臭剤に関するものである。更に詳しくは、硫化水素、メルカプタン類の一種類以上の臭気を含む廃水、汚泥を少量で効果的に脱臭する脱臭剤組成物である。
【０００２】
【従来の技術】
最近の都市及び近郊への人口の密集は、水資源の大量消費につながっている。そこで使用された水資源はさまざまな有機、無機物を含有する廃水となって公共下水道やビル中の滞留槽等へ排出される。さらにこれらは下水処理場にて処理される過程で、大量の生汚泥、余剰汚泥、消化汚泥を産出する。
【０００３】
また、工場等の事業所も河川、海洋等の深刻な環境汚染に伴い排水規制が強化され所定の水質まで処理することが義務づけられているが、この事業所での凝集沈殿処理や活性汚泥処理の過程等でも大量の汚泥が産出する。
【０００４】
以上のような廃水および汚泥中には硫酸還元菌が存在し汚泥中の硫酸塩を硫化水素に還元して生産活動を行っている。そして硫化水素を生成することにより廃水および汚泥は更に嫌気化し、硫酸還元菌は増殖し硫化水素の生成量は更に増大する。そして生成された硫化水素は気相へ放散される。硫化水素は、毒性のある不快な臭気を持つ物質で、マンホールやビルの地下から漏洩し、周辺住民への悪臭問題の原因となったり、汚泥の処理時には作業者に対する危険性が危惧される。また、硫化水素は、コンクリート施設中に付着する硫黄酸化菌や空気により酸化を受け、ミスト中に溶け込み硫酸を生成する。こうして生成した硫酸はコンクリートや金属を腐蝕し建築物の構造に致命的な欠陥をもたらす原因となっている。
【０００５】
さらに硫化水素と同様に廃水および汚泥の腐敗の過程でメチルメルカプタン、エチルメルカプタン等のメルカプタン類を産出し悪臭問題の原因となっている。これら臭気の発生や構造物の腐蝕を防止する手段としては、苛性ソーダ等を用いてｐＨをアルカリ性にし硫化水素の放散を抑制する方法もあるが、これは硫化水素そのものを分解もしくは除去するわけではないので、中和した際、硫化水素が再発生したり、アルカリスケールが発生するなど充分な処理とは言えない。
【０００６】
また悪臭成分を酸化する方法として過酸化水素を添加する方法があり硫化水素、メルカプタン類の除去ができる。しかし、添加量が少量であると硫酸還元菌の殺菌を充分に行うことができず、汚泥を長時間放置しておく場合などは酸化された硫黄もしくは硫酸イオンが、硫酸還元菌により再び硫化水素を生成してしまうという問題があり、大量の過酸化水素の添加が必要であった。
【０００７】
硫化水素を金属塩として固定化してしまう方法として下記の反応式のように塩化亜鉛を添加する方法があるが、この方法は、式（１）のように硫化水素と亜鉛イオンが等モルで反応するため、亜鉛を多量に添加しなければならないという欠点があった。更に亜鉛化合物では、メルカプタン類が除去できないという問題があった。
【０００８】
【化１】
0004102943.tif 000002
【０００９】
【発明が解決しようとする課題】
本発明の目的は、従来技術における上記したような課題を解決し、硫化水素およびメルカプタン類を温和な条件で効率良く分解除去し、悪臭の拡散及び施設の腐蝕を防止する脱臭剤の提供を目的とするものである。
【００１０】
【課題を解決するための手段】
本発明者らは、硫化水素またはメルカプタン類等からなる臭気を除去する脱臭剤組成を鋭意研究した結果、過酸化物と亜鉛塩およびキレート剤よりなる組成の脱臭剤が安定で、廃水および汚泥中の硫化水素、メルカプタン類を迅速にかつ効率的に除去でき、なおかつその除去に持続性が付与できることを見いだし、本発明を完成した。すなわち、本発明は、過酸化物と亜鉛塩およびキレート剤よりなる脱臭剤である。
【００１１】
【発明の実施の形態】
本発明による脱臭剤における過酸化物としては、過酸化水素、過酢酸、過硫酸塩、過炭酸塩、過ホウ素酸塩、その他無機、有機の過酸化物が使用し得るが、好ましくは過酸化水素、過炭酸ナトリウムが使用される。過酸化水素は３５重量％、６０重量％の濃度のものが市販されているが、これをそのまま使用しても良く、希釈して使用しても良い。
【００１２】
亜鉛塩としては、硫酸塩、硝酸塩、ハロゲン化物、過塩素酸塩、水酸化物、等の無機塩、シュウ酸塩、蟻酸塩等の有機酸塩、酸化物等が例示され、無水塩、含水塩の何れでも良い。
【００１３】
キレート剤としては、カルボン酸基を２個以上有する酸および／またはその塩、もしくはホスホン酸基を２個以上有する酸および／またはその塩が用いれる。ここで、カルボン酸基を２個以上有する酸および／またはその塩のキレート剤として、エチレンジアミン四酢酸、ニトリロ三酢酸、ジエチレントリアミン五酢酸、トリエチレンテトラミン六酢酸、ポリヒドロキシカルボン酸等が挙げられ、ホスホン酸基を２個以上有する酸および／またはその塩のキレート剤として、１−ヒドロキシエチリデン−１，１−ジホスホン酸、アミノトリ（メチレンホスホン酸）、エチレンジアミンテトラ（メチレンホスホン酸）、１，２−プロピレンジアミンテトラ（メチレンホスホン酸）、ジエチレントリアミンペンタ（メチレンホスホン酸）、ヘキサメチレンジアミンテトラ（メチレンホスホン酸）、トリエチレンテトラミンへキサ（メチレンホスホン酸）、トリアミノトリエチルアミンへキサ（メチレンホスホン酸）、トランス−１，２−シクロヘキサンジアミンテトラ（メチレンホスホン酸）、グリコールエーテルジアミンテトラ（メチレンホスホン酸）、テトラエチレンヘプタ（メチレンホスホン酸）等のが挙げられ、これを一種類以上使用する。またこれらは遊離酸でも良く、塩の形でも良い。塩の形で使用する場合は、アルカリ金属塩、アルカリ土類金属塩、アンモニウム塩および有機アミン塩等が使用できるが、ナトリウム塩、アンモニウム塩が好適に使用される。
【００１４】
過酸化物に対する亜鉛塩の量は特に制限はないが、通常は過酸化物１００％換算に対して亜鉛金属として０．１〜５０重量％程度使用される。キレート剤の使用量は、亜鉛塩に依存するが過酸化物と亜鉛塩の混合物に対し１０〜５００００ｐｐｍ程度が好適に使用される。このキレート剤の使用量は、過酸化物の濃度とは無関係である。さらに、必要に応じて他の安定剤を併用することを妨げない。
本発明の脱臭剤は、過酸化水素、亜鉛塩及びキレート剤を混合したままでも使用できるが、安定化のためにさらにｐＨを下げることが好ましい。この時使用する酸としては、硫酸、硝酸、塩酸、燐酸等の無機酸、蟻酸、酢酸、シュウ酸等の有機酸が使用できるが、好適には無機酸が単独もしくはそれらの組み合わせで使用できる。
【００１５】
【実施例】
次に本発明の方法を実施例により更に具体的に説明する。但し、本発明はこれらの実施例によって限定されるものではない。
【００１６】
実施例１
下水汚泥１０００ｍｌに３５重量％過酸化水素１１４．２ｇ、硝酸亜鉛六水和物３６．４ｇ、１，２−プロピレンジアミンテトラ（メチレンホスホン酸）０．１１４ｇよりなる組成の脱臭剤を０．３８ｇ（過酸化水素１００ｍｇ／Ｌ、亜鉛２０ｍｇ／Ｌ相当）添加、攪拌混合し処理５分後と１２時間放置しておいた後、硫化水素とメチルメルカプタンをガス検知管を用いてヘッドスペース法により測定した結果を表１に示した。またこの脱臭剤の過酸化水素を１００℃の温浴に５時間浸漬した後の加熱安定性は９８．３％であった。
【００１７】
【式１】
0004102943.tif 000003
【００１８】
比較例１
３５重量％過酸化水素を０．５７ｇ（過酸化水素２００ｍｇ／Ｌ相当）添加した以外は実施例１と同様の処理を行った。結果を表１に示した。
【００１９】
比較例２
硝酸亜鉛を０．２７ｇ（亜鉛６０ｍｇ／Ｌ相当）添加した以外は実施例１と同様の処理を行った。結果を表１に示した。
【００２０】
【表１】
0004102943.tif 000004
【００２１】
過酸化水素のみでの硫化水素の除去は、速効性はあるが、硫化水素が再復活してしまった。また硝酸亜鉛のみではメチルメルカプタンの除去が充分でなかった。本発明品は少ない使用量で、硫化水素、メチルメルカプタンの除去が行え脱臭能力の持続性が得られる。
【００２２】
実施例２
３５重量％過酸化水素１００ｇに硫酸亜鉛七水和物７．７ｇ、ジエチレントリアミンペンタ（メチレンホスホン酸）２５重量％水溶液０．０１ｇよりなる組成の脱臭剤を１００℃の温浴に５時間浸漬した後の過酸化水素の濃度を測定し加熱安定性を求めた。結果を表２に示した。
【００２３】
【式２】
0004102943.tif 000005
【００２４】
実施例３
ジエチレントリアミンペンタ（メチレンホスホン酸）２５％水溶液の添加量を０．０５ｇにした以外は実施例２と同じ組成の脱臭剤を実施例２と同様の処理を行った。結果を表２に示した。
【００２５】
比較例３
キレート剤を使用しなかった以外は実施例２と同じ組成の脱臭剤を実施例２と同様の処理を行った。結果を表２に示した。
【００２６】
0004102943.tif 000006
キレート剤を添加することにより過酸化水素の安定性は格段に向上する。
【００２７】
実施例４
３５重量％過酸化水素１００ｇに硝酸亜鉛６水和物１５．８ｇ、１−ヒドロキシエチリデン−１，１−ジホスホン酸６０重量％水溶液０．０１ｇよりなる組成の脱臭剤を１００℃の温浴に５時間浸漬した後の過酸化水素の濃度を測定し加熱安定性を求めた。結果を表３に示した。
【００２８】
実施例５
硫酸を加えてｐＨを１．０にした以外は実施例４と同組成にし加熱試験を行った。結果を表３に示した。
【００２９】
実施例６
硫酸を加えてｐＨを０．５にした以外は実施例４と同組成にし加熱試験を行った。結果を表３に示した。
【００３０】
0004102943.tif 000007
ｐＨは低い方が本脱臭剤の主成分である過酸化水素の安定性が高かった。
【００３１】
実施例７
３５重量％過酸化水素１００ｇに硝酸亜鉛６水和物１５．８ｇ、キレート剤としてエチレンジアミン四酢酸／四ナトリウム塩・四水和物０．０１ｇよりなる組成の脱臭剤を室温にて１ヶ月放置した後の過酸化水素の濃度を測定し常温安定性を求めた。結果を表４に示した。
【００３２】
【式３】
0004102943.tif 000008
【００３３】
実施例８
キレート剤としてジエチレントリアミン五酢酸を使用した以外は実施例７と同組成にし常温安定性を求めた。結果を表４に示した。
【００３４】
比較例５
キレート剤を使用しなかった以外は実施例７と同組成にし常温安定性を求めた。結果を表４に示した。
【００３５】
0004102943.tif 000009
【００３６】
【発明の効果】
本発明の脱臭剤は、少ない添加量で硫化水素、メルカプタン類を迅速にそして持続性をもって除去できる。